(57)【特許請求の範囲】
【請求項１】
プログラム毎にトラック番号が付された状態でプログラムエリアに記録される光ディスク記録媒体であって、
トラック番号１のポーズ区間を示すインデックス００にテストが実行されるプログラムエリアの中央部または外周部の再生位置に相当する時間が設定され、トラック番号１のデータ区間を示すインデックス０１に前記テストが実行されるデータが記録された、
ことを特徴とする光ディスク記録媒体。
【発明の詳細な説明】
【０００１】
【発明の属する技術分野】
本発明は光ディスク記録媒体に関し、特に、コンパクトディスク（ＣＤ（ＣＤ−ＤＡ，ＣＤ−Ｒ，ＣＤ−ＲＷ））、ＤＶＤ等などに関する。
【０００２】
【従来の技術】
光ディスク記録媒体のプログラムエリアに任意のテストデータ等の各種データを格納したテスト用光ディスク記録媒体が知られている。この種のテスト用光ディスク記録媒体では、ディスクの外周部に任意のテストデータを配置し、再生装置でのディスク外周部の読み取りをチェックする要望もある。たとえば、ディスクの面振を検出するためのテストディスクなどがある。
【０００３】
このような場合には、再生装置では再生の操作（プレイボタン押下）を行って、通常の再生の時間を同じ時間かけてピックアップが外周部に移動することで、所望のチェックが実行される。
【０００４】
なお、急ぐ場合には、再生装置での再生の操作に加えて、トラック番号の指定や早送りなどの操作を行って、ピックアップを所定の位置に移動させることで、外周部のチェックを実行する必要があった。
【０００５】
また、光ディスク記録媒体の読み取り面にクリーニング部材が設けられ、再生装置の光ピックアップレンズ部分をクリーニングするための光ディスク記録媒体が知られている。
【０００６】
この場合、再生時に最初に読まれる領域（ＴＯＣ（Table Of Contents：目次表）が記録されている内周部のリードインエリア）付近にクリーニング用のブラシやクリーニングクロスなどのクリーニング部材を設けておくことで、再生装置での再生の操作をすることでクリーニングが行われる。しかし、再生装置の各製造メーカおよび型式によって動作が不完全でクリーニング目的が達成できないものも多くあった。
【０００７】
【発明が解決しようとする課題】
上述したように、プログラムエリアの所定位置（中央部や外周部）のテストやクリーニングを実行するには、その位置に相当する再生時間を待つか、あるいは、トラックジャンプなどの繁雑な操作が必要であるという問題があった。
【０００８】
本発明は、光ディスク記録媒体上で所望する再生位置でのテストあるいはチェックを容易かつ迅速に実行することが可能な光ディスク記録媒体を実現することを目的とする。
【０００９】
【課題を解決するための手段】
上述した不具合を解決する手段としての本発明は以下に述べるようなものである。
【００１０】
（１）請求項１記載の発明は、プログラム毎にトラック番号が付された状態でプログラムエリアに記録される光ディスク記録媒体であって、トラック番号１のポーズ区間を示すインデックス００にテストが実行されるプログラムエリアの中央部または外周部の再生位置に相当する時間が設定され、トラック番号１のデータ区間を示すインデックス０１に前記テストが実行されるデータが記録された、ことを特徴とする光ディスク記録媒体である。
【００１１】
この光ディスク記録媒体では、トラック番号１のインデックス００にテストが実行されるプログラムエリアの中央部または外周部の再生位置に相当する時間が設定され、インデックス０１にテストデータが記録されており、再生装置で再生の操作がなされると、すみやかに所望する再生位置（テストが実行されるプログラムエリアの中央部または外周部の再生位置）にピックアップが移動することになり、所望する再生位置でのテストデータの再生が容易かつ迅速に実行できる。
【００１２】
（２）また、他の発明は、プログラム毎にトラック番号が付された状態でプログラムエリアに記録される光ディスク記録媒体であって、トラック番号１のポーズ区間を示すインデックス００に所望の再生位置に相当する時間を設定すると共に、再生装置の光ピックアップレンズ部分をクリーニングするためのクリーニング部材を、リードインエリアから前記所望する再生位置付近にかけての読み取り面上のいずれかの位置に設けた、ことを特徴とする光ディスク記録媒体である。
【００１３】
この光ディスク記録媒体では、トラック番号１のインデックス００に所望の再生位置に相当する時間が設定され、クリーニング部材が、リードインエリアから所望する再生位置付近にかけての読み取り面上のいずれかの位置に設けられており、再生装置で再生の操作がなされると、すみやかに所望する再生位置にピックアップが移動することになり、クリーニングを複雑な操作をしなくても容易かつ迅速に実行できる。
【００１４】
【発明の実施の形態】
以下に、本発明の実施の形態例を詳細に説明する。なお、本実施の形態例では、光ディスク記録媒体の具体例として、コンパクトディスク（ＣＤ）について説明を行う。
【００１５】
図１は光ディスク記録媒体１０の様子を概略的に示した模式図である。この光ディスク記録媒体は外形が１２cmまたは８cmであり、センターホール２０は再生装置の回転部に保持されて回転するための穴である。また、ディスクの内周側から外周側に向かって連続したらせん状のトラックパスが設けられた記録領域（ハッチングで示した部分）が存在する。
【００１６】
そして、内周側に、再生時に最初に読まれる領域であるリードインエリア３０が存在している。このリードインエリア３０には、ＴＯＣ（Table Of Contents：目次表）が記録されている。また、外周側には再生の読み取り終了の領域であるリードアウトエリア５０が設けられている。そして、リードインエリア３０とリードアウトエリア５０とに挟まれた領域が、データやプログラムが記録されるプログラムエリア４０であり、各プログラム毎にトラック番号が付された状態で記録される。
【００１７】
また、図２に示すように、記録領域は、リードインエリアとプログラムエリアとリードアウトエリアとの３部分に大きく分けることができる。ここで、図２では総再生時間が約６３分のＣＤに本発明を適用した状態を示している。ここでは、外周部に任意のテストデータとして３分間のテストデータ（以下、この実施の形態例では、「テストデータ等」と記述する）を記録する場合を例にして説明する。すなわち、再生開始から６０分の位置（外周部近傍）から６３分（最外周）の位置までにテストデータ等を記録するものである。
【００１８】
なお、請求項１で、「インデックス０１にテストデータが記録された」と規定した「テストデータ」については、任意のテストデータやプログラムなどの各種のテストデータが該当する。したがって、本実施の形態例では、この各種のテストデータを「テストデータ等」として説明を続ける。
【００１９】
まず、トラック番号１のポーズ区間を示すインデックス００に所望の再生位置に相当する時間（ここでは６０分）を設定する。そして、同じトラックであるトラック番号１のデータ区間を示すインデックス０１に３分間のテストデータ等を記録する。
【００２０】
このように構成されたＣＤをＣＤプレーヤーで再生した場合、再生ボタンの押下により再生装置はＴＯＣに記録された情報を読み、トラック番号１のインデックス００に設定された６０分に相当するポーズ区間をトラックジャンプするように、光ピックアップを制御する。すなわち、ＴＯＣを読む時間と、トラックジャンプに要する僅かなピックアップの移動時間のみの時間だけで、すみやかに所望する再生位置にピックアップが移動することになり、再生開始から６０分後に相当する外周付近の所望する再生位置でのテストデータ等の再生が開始する。
【００２１】
従って、再生装置の再生の指示だけで、繁雑なトラックジャンプの操作をすることなく、また、実際に６０分の時間を待つことなく、所望する外周位置のテストデータ等を確実に再生することが可能になる。
【００２２】
なお、ここでは総再生時間６３分のＣＤを例にしたが、他の再生時間のＣＤや他の光ディスク記録媒体であっても、同様にインデックス００の時間を設定するだけで、同様の効果を得ることが可能である。また、インデックス００に設定する時間やテストデータ等の時間も、ここに示した値に限られるものではない。
【００２３】
また、図３はＣＤのプログラムエリアの中央付近（内周と外周との中間付近）である再生開始から２３分後の位置に、５分間のテストデータ等を記録する場合を例にして説明している。
【００２４】
まず、トラック番号１のポーズ区間を示すインデックス００に所望する再生位置（ここでは２３分）に相当する時間を設定する。そして、同じトラックであるトラック番号１のデータ区間を示すインデックス０１に５分間のテストデータ等を記録する。
【００２５】
このように構成されたＣＤをＣＤプレーヤーで再生した場合、再生ボタンの押下により再生装置はＴＯＣに記録された情報を読み、トラック番号１のインデックス００に設定された２３分に相当するポーズ区間をトラックジャンプするように、光ピックアップを制御する。すなわち、ＴＯＣを読む時間と、トラックジャンプに要する僅かなピックアップの移動時間のみの時間だけで、すみやかに所望する再生位置にピックアップが移動することになり、再生開始から２３分後に相当する中央部付近の所望する再生位置でのテストデータ等の再生が開始する。
【００２６】
従って、再生装置の再生の指示だけで、繁雑なトラックジャンプの操作をすることなく、また、実際に２３分の時間を待つことなく、所望する中央部付近の位置のテストデータ等を確実に再生することが可能になる。
【００２７】
なお、ここでは再生開始から２３分の位置を例にしたが、他の位置であっても、同様にインデックス００の時間を設定するだけで、同様の効果を得ることが可能である。
【００２８】
なお、トラック２以降は何らかのデータを記録しても、また、何のデータを記録しなくてもよい。
また、トラック２に前述した外周部（再生開始から６０分の位置）のインデックス００とインデックス０１とを記録することで、中央付近と外周付近とを連続して迅速にテストすることが可能になる。
【００２９】
また、同様にしてさらに多くの所望の位置のテストデータ等を連続して迅速に再生することも可能である。
なお、以上の説明では、所望の位置のテストデータ等を迅速かつ容易に再生することであったが、そのテストデータ等が記録される位置付近のディスク読み取り面上に、再生装置の光ピックアップレンズ部分をクリーニングするブラシやクリーニングクロス等のクリーニング部材を設けることで、再生装置で再生の操作がなされると、すみやかに所望する再生位置にピックアップが移動するので、複雑な操作をしなくても、クリーニングを容易かつ迅速に実行することができる。
【００３０】
なお、以上の具体例ではＣＤについて説明を行ってきたが、通常のコンパクトディスク（ＣＤ−ＤＡ）だけでなく、ＣＤ−Ｒ，ＣＤ−ＲＷ、また、ＤＶＤ等などに適用することも可能である。
【００３１】
【発明の効果】
以上実施の形態例と共に詳細に説明したように、この明細書記載の各発明によれば以下のような効果が得られる。
【００３２】
（１）請求項１記載の発明では、トラック番号１のインデックス００に所望の再生位置（テストが実行されるプログラムエリアの中央部または外周部の再生位置）に相当する時間が設定され、インデックス０１にテストが実行されるデータが記録されており、再生装置で再生の操作がなされると、すみやかに所望する再生位置にピックアップが移動することになり、所望する再生位置でのテストデータの再生が容易かつ迅速に実行できる。
【００３３】
（２）また、他の発明では、トラック番号１のインデックス００に所望の再生位置に相当する時間が設定され、クリーニング部材がリードインエリアから所望する再生位置付近にかけての読み取り面上のいずれかの位置に設けられており、再生装置で再生の操作がなされると、すみやかに所望する再生位置にピックアップが移動することになり、クリーニングが複雑な操作をしなくても容易かつ迅速に実行できる。
【図面の簡単な説明】
【図１】本発明の実施の形態例で使用する光ディスク記録媒体の記録領域の様子を示す説明図である。
【図２】本発明の実施の形態例で使用する光ディスク記録媒体の記録領域の様子を示す説明図である。
【図３】本発明の実施の形態例で使用する光ディスク記録媒体の記録領域の様子を示す説明図である。
【符号の説明】
１０  光ディスク記録媒体
２０  センターホール
３０  リードインエリア
４０  プログラムエリア
５０  リードアウトエリア
【図１】
0004398013.tif 000002
【図２】
0004398013.tif 000003
【図３】
0004398013.tif 000004